(57)【要約】【課題】容易に持ち運びでき、様々な環境下において静寂性の高い空間をスポット的に形成することが可能な遮音吸音ボックスを提供することを目的とする。【解決手段】左右に分割された中央壁部３の左半分４と右半分５とが折りたたみ自在に連結されており、左右に分割された中央壁部３の左半分４および右半分５の外側端部と、一方および他方の側壁部６，６の中央壁部側端部とが折りたたみ自在に連結されており、左右に分割された天井部７（７Ａ）の左半分８および右半分９と、一方および他方の側壁部６，６の上端部とが折りたたみ自在に連結されていることを特徴とする遮音吸音ボックス１（１Ａ）。これにより、壁部および天井部の周囲の静寂性を高めることができるとともに、壁部および天井部をコンパクトに折りたたむことができる。【選択図】図１
2011019727.tif 000002
【特許請求の範囲】
【請求項１】
中央壁部と、この中央壁部の両側部に設けられる一方および他方の側壁部とを有することによって平面視略コ字状に形成されるとともに、遮音手段および吸音手段を有する壁部と、
この壁部の上部に設けられることによって該壁部の上部開放部を覆うとともに、遮音手段および吸音手段を有する天井部とを備えており、
前記中央壁部は左右に分割されており、これら左右に分割された中央壁部の左半分と右半分とは、平面視略コ字状に展開された壁部の外側面となる面同士が互いに当接する方向に折りたたみ自在に連結されており、
前記左右に分割された中央壁部の左半分および右半分の外側端部と、前記一方および他方の側壁部の中央壁部側端部とは、それぞれ、平面視略コ字状に展開された壁部の内側面となる面同士が互いに当接する方向に折りたたみ自在に連結されており、
前記天井部は左右に分割されており、これら左右に分割された天井部の左半分および右半分と、前記一方および他方の側壁部の上端部とは、それぞれ、天井部の左半分および右半分の上面と、前記一方および他方の側壁部の外側面とが当接する方向に折りたたみ自在に連結されていることを特徴とする遮音吸音ボックス。
【請求項２】
請求項１に記載の遮音吸音ボックスにおいて、
前記遮音手段は、前記壁部および天井部の外側に設けられており、前記吸音手段は、前記壁部および天井部の内側に設けられていることを特徴とする遮音吸音ボックス。
【請求項３】
請求項１または２に記載の遮音吸音ボックスにおいて、
前記天井部の、前記壁部の正面開放部側の端部から中央壁部側の端部までの長さは、前記壁部の正面側の端面から中央壁部の外側面までの長さと略等しくなるように設定されていることを特徴とする遮音吸音ボックス。
【請求項４】
請求項３に記載の遮音吸音ボックスにおいて、
前記中央壁部の上端面と、前記天井部の下面のうちの前記中央壁部の上端面と当接する部分との間には、これら中央壁部の上端面と天井部の下面とを係合するための係合手段が設けられていることを特徴とする遮音吸音ボックス。
【請求項５】
請求項１〜４のいずれか一項に記載の遮音吸音ボックスにおいて、
前記一方および他方の側壁部の内側面には、音声の放音範囲が、前記壁部と天井部とで囲まれた部分内に制限された狭指向性のスピーカーがそれぞれ設けられていることを特徴とする遮音吸音ボックス。
【請求項６】
請求項１〜５のいずれか一項に記載の遮音吸音ボックスにおいて、
前記天井部には、この天井部の下方を照明するための照明手段が設けられていることを特徴とする遮音吸音ボックス。
【発明の詳細な説明】
【技術分野】
【０００１】
本発明は、遮音手段および吸音手段を有する遮音吸音ボックスに関する。
【背景技術】
【０００２】
従来、壁や床、天井等に遮音材や吸音材を仕込むなどして、周囲の静寂性を高めたいという要望があったが、居室全体の壁や床、天井等に遮音材や吸音材を仕込むとなるとコストが高くなるという問題がある。
そこで、特許文献１に記載のように、部屋内に箱状の防音寝室を設置して、騒音に邪魔されることのない空間を形成できる技術が開発されている（例えば、特許文献１参照）。
【先行技術文献】
【特許文献】
【０００３】
【特許文献１】特開平１１−２８７０５２号公報
【発明の概要】
【発明が解決しようとする課題】
【０００４】
ところが、特許文献１のような防音寝室は大掛かりなものであり、一旦設置してしまうと、再度解体しなければ持ち運びができないため、その場所でしか効果を発揮できない。また、別の場所に持ち運んで使用する際は、解体したものを再度組み立てなおさなければならず手間であった。
【０００５】
本発明の課題は、容易に持ち運びでき、様々な環境下において静寂性の高い空間をスポット的に形成することが可能な遮音吸音ボックスを提供することを目的とする。
【課題を解決するための手段】
【０００６】
請求項１に記載の発明は、遮音吸音ボックス１（１Ａ）であって、例えば図１〜図８に示すように、中央壁部３と、この中央壁部３の両側部に設けられる一方および他方の側壁部６，６とを有することによって平面視略コ字状に形成されるとともに、遮音手段２ａおよび吸音手段２ｂを有する壁部２（２Ａ）と、
この壁部２（２Ａ）の上部に設けられることによって該壁部２（２Ａ）の上部開放部を覆うとともに、遮音手段７ａおよび吸音手段７ｂを有する天井部７（７Ａ）とを備えており、
前記中央壁部３は左右に分割されており、これら左右に分割された中央壁部３の左半分４と右半分５とは、平面視略コ字状に展開された壁部２（２Ａ）の外側面となる面４ａ，５ａ同士が互いに当接する方向に折りたたみ自在に連結されており、
前記左右に分割された中央壁部３の左半分４および右半分５の外側端部と、前記一方および他方の側壁部６，６の中央壁部側端部とは、それぞれ、平面視略コ字状に展開された壁部２の内側面となる面４ｂ，６ｂ、５ｂ，６ｂ同士が互いに当接する方向に折りたたみ自在に連結されており、
前記天井部７（７Ａ）は左右に分割されており、これら左右に分割された天井部７（７Ａ）の左半分８および右半分９と、前記一方および他方の側壁部６，６の上端部とは、それぞれ、天井部７（７Ａ）の左半分８および右半分９の上面８ａ，９ａと、前記一方および他方の側壁部６，６の外側面６ａ，６ａとが当接する方向に折りたたみ自在に連結されていることを特徴とする。
【０００７】
請求項１に記載の発明によれば、平面視略コ字状の壁部２（２Ａ）と天井部７（７Ａ）とを備えており、これら壁部２（２Ａ）および天井部７（７Ａ）は、それぞれ遮音手段２ａ，７ａおよび吸音手段２ｂ，７ｂを有しているので、特に、周囲から壁部２（２Ａ）と天井部７（７Ａ）とで囲まれた部分への音に対する遮音性を確実に向上できるとともに、壁部２（２Ａ）と天井部７（７Ａ）とで囲まれた部分の吸音性を確実に向上させることができ、壁部２（２Ａ）および天井部７（７Ａ）の周囲の静寂性を高めることができる。
また、前記左右に分割された中央壁部３の左半分４と右半分５とが折りたたみ自在に連結されており、前記左右に分割された中央壁部３の左半分４および右半分５の外側端部と、前記一方および他方の側壁部６，６の中央壁部側端部とが折りたたみ自在に連結されており、前記左右に分割された天井部７（７Ａ）の左半分８および右半分９と、前記一方および他方の側壁部６，６の上端部とが折りたたみ自在に連結されているので、前記壁部２（２Ａ）および天井部７（７Ａ）をコンパクトに折りたたむことができる。
これによって、容易に持ち運びができるので、様々な環境下において静寂性の高い空間をスポット的に形成することが可能となる。
【０００８】
請求項２に記載の発明は、例えば図１〜図８に示すように、請求項１に記載の遮音吸音ボックス１（１Ａ）において、
前記遮音手段２ａ，７ａは、前記壁部２（２Ａ）および天井部７（７Ａ）の外側に設けられており、前記吸音手段２ｂ，７ｂは、前記壁部２（２Ａ）および天井部７（７Ａ）の内側に設けられていることを特徴とする。
【０００９】
請求項２に記載の発明によれば、前記遮音手段２ａ，７ａは、前記壁部２（２Ａ）および天井部７（７Ａ）の外側に設けられており、前記吸音手段２ｂ，７ｂは、前記壁部２（２Ａ）および天井部７（７Ａ）の内側に設けられているので、周囲から前記壁部２（２Ａ）と天井部７（７Ａ）とで囲まれた部分への音に対する遮音性をより確実に向上できるとともに、前記壁部２（２Ａ）と天井部７（７Ａ）とで囲まれた部分の吸音性をより確実に向上させることができ、前記壁部２（２Ａ）および天井部７（７Ａ）の周囲の静寂性をより高めることができる。
【００１０】
請求項３に記載の発明は、例えば図１〜図８に示すように、請求項１または２に記載の遮音吸音ボックス１（１Ａ）において、
前記天井部７（７Ａ）の、前記壁部２（２Ａ）の正面開放部側の端部から中央壁部３側の端部までの長さは、前記壁部２（２Ａ）の正面側の端面から中央壁部３の外側面４ａ，５ａまでの長さと略等しくなるように設定されていることを特徴とする。
【００１１】
請求項３に記載の発明によれば、前記天井部７（７Ａ）の、前記壁部２（２Ａ）の正面開放部側の端部から中央壁部３側の端部までの長さは、前記壁部２（２Ａ）の正面側の端面から中央壁部３の外側面４ａ，５ａまでの長さと略等しくなるように設定されているので、前記壁部２（２Ａ）の上部に設けられる天井部７（７Ａ）を、前記壁部２（２Ａ）の中央壁部３および側壁部６，６の上面に確実に載置するようにして設けることができる。
これによって、前記天井部７（７Ａ）を、前記壁部２（２Ａ）の上部に安定的に設けることができる。
【００１２】
請求項４に記載の発明は、例えば図２および図４に示すように、請求項３に記載の遮音吸音ボックス１（１Ａ）において、
前記中央壁部３の上端面と、前記天井部７（７Ａ）の下面８ｂ，９ｂのうちの前記中央壁部３の上端面と当接する部分との間には、これら中央壁部３の上端面と天井部７（７Ａ）の下面８ｂ，９ｂとを係合するための係合手段１１が設けられていることを特徴とする。
【００１３】
請求項４に記載の発明によれば、前記中央壁部３の上端面と、前記天井部７（７Ａ）の下面８ｂ，９ｂのうちの前記中央壁部３の上端面と当接する部分との間には、これら中央壁部３の上端面と天井部７（７Ａ）の下面８ｂ，９ｂとを係合するための係合手段１１が設けられているので、この係合手段１１によって、前記中央壁部３の上端面と天井部７（７Ａ）の下面８ｂ，９ｂとを確実に係合することができる。
これによって、前記係合手段１１によって係合された壁部２（２Ａ）と天井部７（７Ａ）とが、少々の衝撃などで外れてしまうことを確実に防ぐことができるので、折りたたみ状態から展開させて組み立てた後の前記壁部２（２Ａ）および天井部７（７Ａ）の形状を維持することができる。
【００１４】
請求項５に記載の発明は、例えば図５に示すように、請求項１〜４のいずれか一項に記載の遮音吸音ボックス１（１Ａ）において、
前記一方および他方の側壁部６，６の内側面６ｂ，６ｂには、音声の放音範囲が、前記壁部２（２Ａ）と天井部７（７Ａ）とで囲まれた部分内に制限された狭指向性のスピーカー１２がそれぞれ設けられていることを特徴とする。
【００１５】
請求項５に記載の発明によれば、前記一方および他方の側壁部６，６の内側面６ｂ，６ｂには、音声の放音範囲が、前記壁部２（２Ａ）と天井部７（７Ａ）とで囲まれた部分内に制限された狭指向性のスピーカー１２がそれぞれ設けられているので、前記壁部２（２Ａ）と天井部７（７Ａ）とで囲まれた部分では、例えば周囲の騒音の激しい所でも音声を明瞭に聞き取ることができる。
【００１６】
請求項６に記載の発明は、例えば図６および図７に示すように、請求項１〜５のいずれか一項に記載の遮音吸音ボックス１（１Ａ）において、
前記天井部７（７Ａ）には、この天井部７（７Ａ）の下方を照明するための照明手段１３が設けられていることを特徴とする。
【００１７】
請求項６に記載の発明によれば、前記天井部７（７Ａ）には、この天井部７（７Ａ）の下方を照明するための照明手段１３が設けられているので、この照明手段１３によって前記天井部７（７Ａ）の下方を確実に照明することができる。これによって、例えば遮音吸音ボックス１を机上に設置する場合などにおいて好適となる。
【発明の効果】
【００１８】
本発明によれば、平面視略コ字状の壁部と天井部とを備えており、これら壁部および天井部は、それぞれ遮音手段および吸音手段を有しているので、特に、周囲から壁部と天井部とで囲まれた部分への音に対する遮音性を確実に向上できるとともに、壁部と天井部とで囲まれた部分の吸音性を確実に向上させることができ、壁部および天井部の周囲の静寂性を高めることができる。
また、左右に分割された中央壁部の左半分と右半分とが折りたたみ自在に連結されており、左右に分割された中央壁部の左半分および右半分の外側端部と、一方および他方の側壁部の中央壁部側端部とが折りたたみ自在に連結されており、左右に分割された天井部の左半分および右半分と、一方および他方の側壁部の上端部とが折りたたみ自在に連結されているので、壁部および天井部をコンパクトに折りたたむことができる。
これによって、容易に持ち運びができるので、様々な環境下において静寂性の高い空間をスポット的に形成することが可能となる。
【図面の簡単な説明】
【００１９】
【図１】本発明の遮音吸音ボックスを示す斜視図である。
【図２】図１に示す遮音吸音ボックスを展開させた状態を示す背面側斜視図である。
【図３】図１に示す遮音吸音ボックスを展開させた状態の一部を示す概略図である。
【図４】図１に示す遮音吸音ボックスを折りたたんだ状態を示す平面図である。
【図５】側壁部にスピーカーを設けた状態を示す部分拡大断面図である。
【図６】天井部に照明手段を設けた状態を示すとともに、遮音吸音ボックスの使用例を示す側断面図である。
【図７】天井部に照明手段を設けた状態を示すとともに、図６に示す遮音吸音ボックスの使用例とは異なる一例を示す側断面図である。
【図８】天井部に照明手段を設けた状態を示すとともに、図６および図７に示す遮音吸音ボックスの使用例とは異なる一例を示す側断面図である。
【発明を実施するための形態】
【００２０】
以下、図面を参照して本発明の実施の形態について説明する。
図１は本発明に係る遮音吸音ボックスの一例を示す斜視図である。
図１において符号１は、この遮音吸音ボックスを示す。
この遮音吸音ボックス１は、中央壁部３と、この中央壁部３の両側部に設けられる一方および他方の側壁部６，６とを有することによって平面視略コ字状に形成されるとともに、遮音手段２ａおよび吸音手段２ｂを有する壁部２と、この壁部２の上部に設けられることによって該壁部２の上部開放部を覆うとともに、遮音手段７ａおよび吸音手段７ｂを有する天井部７とを備えている。
【００２１】
ここで、前記遮音手段２ａ，７ａは遮音材である。この遮音材としては、例えば、石膏ボードや合板が使用される。
なお、本実施の形態においては、前記遮音材２ａ，７ａとして合板が用いられているものとする。また、この遮音材２ａ，７ａの厚みは軽量化のため、分厚いものよりも、比較的薄いものが好ましい。
【００２２】
また、前記吸音手段２ｂ，７ｂは吸音材である。この吸音材としては、例えば、アルミニウム等の金属繊維，岩石を原料とするロックウール（岩綿）・高炉スラグを原料とするスラグウール（鉱さい綿）・ガラス繊維を原料とするグラスウールなどの無機質繊維，綿や麻などの植物繊維や羽毛や獣毛などの動物繊維等の有機質繊維（以下繊維類と呼ぶ）が使用される。
この繊維類を、綿状・ボード状・不織布状に成形して繊維と繊維の間に複雑に連続した多くの隙間や気泡を有する部材とすることで吸音性能を発揮することができる。
また、ポリウレタンなどの高分子物質を発泡させた発泡樹脂材料（ウレタンフォーム）を使用してもよい。
なお、本実施の形態においては、前記吸音材２ｂ，７ｂとしてウレタンフォームが用いられているものとする。
【００２３】
前記壁部２は、上述のように前記中央壁部３と両側壁部６，６とを有することによって平面視略コ字状に形成されており、図１〜図４に示すように、これら中央壁部３および両側壁部６，６は、前記遮音材２ａの一面に前記吸音材２ｂを貼り付けることによって形成されている。
そして、前記遮音材２ａは、前記壁部２の外側に設けられており、前記吸音材２ｂは、前記壁部２の内側に設けられている。
なお、本実施の形態の壁部２は、上述のように外側に前記遮音材２ａを設け、内側に前記吸音材２ｂを設ける構造としたが、これに限られるものではなく、例えば、複数の軸組材を組み立ててことによって枠体を形成し、この枠体の外面側に遮音材２ａを貼り付けるとともに、枠体内に前記吸音材２ｂを充填するような構造としてもよい。
【００２４】
また、前記中央壁部３は左右に分割されている。すなわち、この中央壁部３は、この中央壁部３の高さ方向に沿う中心線を境にして左右に分割されており、左半分４と右半分５とを備えている。
そして、これら左右に分割された中央壁部３の左半分４と右半分５とは、図１および図２，図４に示すように、平面視略コ字状に展開された壁部２の外側面となる面４ａ，５ａ同士が互いに当接する方向に折りたたみ自在に連結されている。
【００２５】
さらに、前記左右に分割された中央壁部３の左半分４および右半分５の外側端部と、前記一方および他方の側壁部６，６の中央壁部側端部とは、図１および図２，図４に示すように、それぞれ、平面視略コ字状に展開された壁部２の内側面となる面４ｂ，６ｂ、５ｂ，６ｂ同士が互いに当接する方向に折りたたみ自在に連結されている。
【００２６】
前記天井部７は、図１〜図３に示すように、前記遮音材７ａの一面に前記吸音材７ｂを貼り付けることによって形成されている。
そして、前記遮音材７ａは、前記天井部７の外側に設けられており、前記吸音材７ｂは、前記天井部７の内側に設けられている。
【００２７】
また、前記天井部７は左右に分割されている。すなわち、この天井部７は、この天井部７の上面の短手方向に沿う中心線を境にして左右に分割されており、左半分８と右半分９とを備えている。
これら左右に分割された天井部７の左半分８および右半分９と、前記一方および他方の側壁部６，６の上端部とは、図１〜図４に示すように、それぞれ、天井部７の左半分８および右半分９の上面８ａ，９ａと、前記一方および他方の側壁部６，６の外側面６ａ，６ａとが当接する方向に折りたたみ自在に連結されている。
【００２８】
さらに、前記天井部７の、前記壁部２の正面開放部側の端部から中央壁部３側の端部までの長さは、前記壁部２の正面側の端面から中央壁部３の外側面４ａ，５ａまでの長さと略等しくなるように設定されている。
そして、この天井部７は、この天井部７の前記壁部２の正面開放部側の端面と、前記壁部２の正面開放側の端面とが面一となるようにして前記壁部２の上部に設けられている。したがって、この天井部７の中央壁部３側の端面と、中央壁部３の外側面４ａ，５ａとも面一となるように設定されている。
これによって、前記壁部２の上部に設けられる天井部７を、前記壁部２の中央壁部３および側壁部６，６の上面に確実に載置するようにして設けることができる。
【００２９】
なお、前記左右に分割された中央壁部３の左半分４と右半分５とを折りたたみ自在に連結し、前記左右に分割された中央壁部３の左半分４および右半分５の外側端部と、前記一方および他方の側壁部６，６の中央壁部側端部とを折りたたみ自在に連結し、前記左右に分割された天井部７の左半分８および右半分９と、前記一方および他方の側壁部６，６の上端部とを折りたたみ自在に連結するものとして、本実施の形態では連結材１０が用いられている。
この連結材１０としては、例えば粘着テープが用いられている。
この粘着テープ１０の貼り方について、例えば前記中央壁部３の左半分４と右半分５とを折りたたみ自在に連結する場合を例に挙げて説明する。
すなわち、前記左半分４および右半分５の隣り合う端面同士を当接させた状態で、これら左半分４および右半分５の当接箇所を跨ぐようにして、これら左半分４と右半分５との外側面から前記粘着テープ１０を貼り付ける、というものである。
なお、図示はしないが、前記左半分４と右半分５との外側面に貼り付けられた粘着テープ１０とは別に、これら左半分４と右半分５との当接面同士を連結するようにして粘着テープを貼り付けてもよいものとする。つまり、前記左半分４および右半分５の隣り合う端面同士を当接させた状態で粘着テープ１０を貼り付けた後、これら前記左半分４および右半分５の外側面４ａ，５ａ同士を当接させるようにして折りたたむことによって、それまで当接していた面が露出することになる。この露出した当接面に、別の粘着テープを貼り付けるようにする。これによって、前記左半分４と右半分５との連結部分に、表裏から粘着テープ１０を貼り付けることができるので、前記左半分４と右半分５とを強固に連結することができるので、好ましい。
このような粘着テープ１０の貼り方は、前記中央壁部３の左半分４と右半分５とを折りたたみ自在に連結する場合だけでなく、前記左右に分割された中央壁部３の左半分４および右半分５の外側端部と、前記一方および他方の側壁部６，６の中央壁部側端部とを折りたたみ自在に連結する場合にも適用できるものとする。
【００３０】
一方、前記粘着テープ１０によって、前記左右に分割された天井部７の左半分８および右半分９と、前記一方および他方の側壁部６，６の上端部とを折りたたみ自在に連結する場合は、別の方法を採用する。
すなわち、図３に示すように、粘着テープ１０の下端部を、前記一方および他方の側壁部６，６の上端部よりも若干下側に貼り付けておき、粘着テープ１０の上端部を、前記左半分８および右半分９に側端面に貼り付けておく。
そして、これら粘着テープ１０のうち、前記一方および他方の側壁部６，６の上端部よりも若干下側に貼り付けられた部分と、前記左半分８および右半分９に側端面に貼り付けられた部分との間を、粘着力のない不粘着部１０ａとする、というものである。
これによって、前記天井部７の左半分８および右半分９を折りたたんだ際に、前記天井部７の左半分８および右半分９の上面８ａ，９ａと、前記一方および他方の側壁部６，６の外側面６ａ，６ａとを確実に当接させることができる。
【００３１】
なお、前記粘着テープ１０はタッカー等の止め具によって前記遮音材２ａ，７ａに止めてもよいものとする。特に、前記不粘着部１０ａの周囲などのように、折りたたみ動作の大きい部分には重点的にタッカー等の留め具で、前記粘着テープ１０を固定することが好ましい。
【００３２】
前記中央壁部３の上端面と、前記天井部７の下面８ｂ，９ｂのうちの前記中央壁部３の上端面と当接する部分との間には、図２および図４に示すように、これら中央壁部３の上端面と天井部７の下面８ｂ，９ｂとを係合するための係合手段１１が設けられている。
この係合手段１１としては、例えば面ファスナーが用いられている。この面ファスナー１１は、いわゆるマジックテープ（登録商標）等が用いられている。
そして、この面ファスナー１１の係合部１１ａが前記天井部７の下面８ｂ，９ｂのうちの前記中央壁部３の上端面と当接する部分に取り付けられており、この係合部１１ａに係合される被係合部１１ｂが、前記中央壁部３の上端面に取り付けられている。
これによれば、前記係合手段１１によって、前記中央壁部３の上端面と天井部７の下面８ｂ，９ｂとを確実に係合することができる。
【００３３】
以上のような構成によれば、前記壁部２および天井部７をコンパクトに折りたたむことができる。
【００３４】
次に、以上のような遮音吸音ボックス１の使用例について説明する。
図６に示す使用例は、前記遮音吸音ボックス１を、机２０の上面に設置するというものである。このように前記遮音吸音ボックス１を、机２０の上面に設置することによって、前記遮音吸音ボックス１をパーティションとして用いることができるとともに、前記机２０上に静寂性の高い空間を形成することができる。
【００３５】
図７に示す使用例は、前記遮音吸音ボックス１よりもサイズの大きい遮音吸音ボックス１Ａを、机２０を囲むようにして設置するというものである。なお、この遮音吸音ボックス１Ａは、前記壁部２よりもサイズの大きい壁部２Ａと、前記天井部７よりもサイズの大きい天井部７Ａとを備えているものである。
このように前記遮音吸音ボックス１Ａを、机２０を囲むようにして設置することによって、前記遮音吸音ボックス１をパーティションとして用いることができるとともに、前記机２０の周囲に静寂性の高い空間を形成することができる。
【００３６】
また、このように前記遮音吸音ボックス１，１Ａを、机２０の近傍に設置する場合だけに限られるものではないが、前記天井部７，７Ａに、この天井部７，７Ａの下方を照明するための照明手段１３が設けてもよいものとする。
【００３７】
図８に示す使用例は、前記遮音吸音ボックス１を、ベッド等の寝具３０の上面に設置するというものである。このように前記遮音吸音ボックス１を、寝具３０の上面に設置することによって、前記寝具３０上に、静寂性の高い空間を形成することができる。
なお、図示はしないが、前記机２０の場合と同じく、サイズの大きい前記遮音吸音ボックス１Ａを、前記寝具３０の一方の端部を囲むようにして設置してもよい。
また、寝具３０はベッドだけに限られず、布団でもよい。さらに、人が前記壁部２と天井部７とで囲まれた部分に自身の頭部を入れるだけでもよく、これによって、前記壁部２と天井部７とで囲まれた部分に頭部を入れた人に対する遮音・吸音の効果を確実に発揮することができる。
【００３８】
また、前記遮音吸音ボックス１を、街中など騒音レベルの高い場所の通路やベンチに設置して、前記壁部２と天井部７とで囲まれた部分で、電話などをすることができるように使用してもよいものとする。
さらに、前記遮音吸音ボックス１を、街中など騒音レベルの高い場所に設置する場合等において、図５に示すように、前記一方および他方の側壁部６，６の内側面６ｂ，６ｂに、音声の放音範囲が、前記壁部２と天井部７とで囲まれた部分内に制限された狭指向性のスピーカー１２をそれぞれ設けて、このスピーカー１２から、例えば観光客用のガイドメッセージを流すなどして使用してもよい。
その他にも、前記遮音吸音ボックス１を、ペットのケージを囲むようにして消音効果を図るようにしてもよく、多岐にわたって使用できる。
なお、本実施の形態の遮音吸音ボックス１において、前記天井部７の遮音材７ａのうち、前記中央壁部３側端部と前記両側壁部６，６側端部には、例えば図５に示すように、垂直下方に延出する下垂部を設けるようにしてもよい。これによって、遮音性をより向上させることができるので、好ましい。
【００３９】
本実施の形態によれば、平面視略コ字状の壁部２（２Ａ）と天井部７（７Ａ）とを備えており、これら壁部２（２Ａ）および天井部７（７Ａ）は、それぞれ遮音手段２ａ，７ａおよび吸音手段２ｂ，７ｂを有しているので、特に、周囲から壁部２（２Ａ）と天井部７（７Ａ）とで囲まれた部分への音に対する遮音性を確実に向上できるとともに、壁部２（２Ａ）と天井部７（７Ａ）とで囲まれた部分の吸音性を確実に向上させることができ、壁部２（２Ａ）および天井部７（７Ａ）の周囲の静寂性を高めることができる。
また、前記左右に分割された中央壁部３の左半分４と右半分５とが折りたたみ自在に連結されており、前記左右に分割された中央壁部３の左半分４および右半分５の外側端部と、前記一方および他方の側壁部６，６の中央壁部側端部とが折りたたみ自在に連結されており、前記左右に分割された天井部７（７Ａ）の左半分８および右半分９と、前記一方および他方の側壁部６，６の上端部とが折りたたみ自在に連結されているので、前記壁部２（２Ａ）および天井部７（７Ａ）をコンパクトに折りたたむことができる。
これによって、容易に持ち運びができるので、様々な環境下において静寂性の高い空間をスポット的に形成することが可能となる。
【００４０】
また、前記遮音手段２ａ，７ａは、前記壁部２（２Ａ）および天井部７（７Ａ）の外側に設けられており、前記吸音手段２ｂ，７ｂは、前記壁部２（２Ａ）および天井部７（７Ａ）の内側に設けられているので、周囲から前記壁部２（２Ａ）と天井部７（７Ａ）とで囲まれた部分への音に対する遮音性をより確実に向上できるとともに、前記壁部２（２Ａ）と天井部７（７Ａ）とで囲まれた部分の吸音性をより確実に向上させることができ、前記壁部２（２Ａ）および天井部７（７Ａ）の周囲の静寂性をより高めることができる。
【００４１】
また、前記天井部７（７Ａ）の、前記壁部２（２Ａ）の正面開放部側の端部から中央壁部３側の端部までの長さは、前記壁部２（２Ａ）の正面側の端面から中央壁部３の外側面４ａ，５ａまでの長さと略等しくなるように設定されているので、前記壁部２（２Ａ）の上部に設けられる天井部７（７Ａ）を、前記壁部２（２Ａ）の中央壁部３および側壁部６，６の上面に確実に載置するようにして設けることができる。
これによって、前記天井部７（７Ａ）を、前記壁部２（２Ａ）の上部に安定的に設けることができる。
【００４２】
また、前記中央壁部３の上端面と、前記天井部７（７Ａ）の下面８ｂ，９ｂのうちの前記中央壁部３の上端面と当接する部分との間には、これら中央壁部３の上端面と天井部７（７Ａ）の下面８ｂ，９ｂとを係合するための係合手段１１が設けられているので、この係合手段１１によって、前記中央壁部３の上端面と天井部７（７Ａ）の下面８ｂ，９ｂとを確実に係合することができる。
これによって、前記係合手段１１によって係合された壁部２（２Ａ）と天井部７（７Ａ）とが、少々の衝撃などで外れてしまうことを確実に防ぐことができるので、折りたたみ状態から展開させて組み立てた後の前記壁部２（２Ａ）および天井部７（７Ａ）の形状を維持することができる。
【００４３】
また、前記一方および他方の側壁部６，６の内側面６ｂ，６ｂには、音声の放音範囲が、前記壁部２（２Ａ）と天井部７（７Ａ）とで囲まれた部分内に制限された狭指向性のスピーカー１２がそれぞれ設けられているので、前記壁部２（２Ａ）と天井部７（７Ａ）とで囲まれた部分では、例えば周囲の騒音の激しい所でも音声を明瞭に聞き取ることができる。
【００４４】
また、前記天井部７（７Ａ）には、この天井部７（７Ａ）の下方を照明するための照明手段１３が設けられているので、この照明手段１３によって前記天井部７（７Ａ）の下方を確実に照明することができる。これによって、例えば遮音吸音ボックス１を机上に設置する場合などにおいて好適となる。
【符号の説明】
【００４５】
１  遮音吸音ボックス
２  壁部
２ａ  遮音材
２ｂ  吸音材
３  中央壁部
４  中央壁部の左半分
５  中央壁部の右半分
６  側壁部
７  天井部
７ａ  遮音材
７ｂ  吸音材
８  天井部の左半分
９  天井部の右半分
【図１】
2011019727.tif 000003
【図２】
2011019727.tif 000004
【図３】
2011019727.tif 000005
【図４】
2011019727.tif 000006
【図５】
2011019727.tif 000007
【図６】
2011019727.tif 000008
【図７】
2011019727.tif 000009
【図８】
2011019727.tif 000010